(57)【特許請求の範囲】
【請求項１】
平板状のパッド材の外面が表皮で被覆されることによってサンバイザ本体が形成されてなる自動車用のサンバイザにおいて、上記表皮に所定長さ寸法の切り込み開口が設けられ、この切り込み開口の周囲の所定範囲内の表皮とパッド材との間に内側表皮が介設され、この内側表皮は、サンバイザ本体の幅方向の全長に亘って設けられているとともに、縁部がウェルダー処理によって表皮に一体に接合されていることを特徴とする自動車用のサンバイザ。
【請求項２】
上記内側表皮は、サンバイザ本体の略中央部でウェルダー処理によって表皮に接合されていることを特徴とする請求項１記載の自動車用のサンバイザ。
【発明の詳細な説明】
【０００１】
【発明の属する技術分野】
本発明は、チケットや紙幣等の紙片を収納し得るポケットが形成された自動車用のサンバイザに関するものである。
【０００２】
【従来の技術】
従来、図５に示すような、ポケット部１０１を備えたサンバイザ１００が知られている。この図に示すように、サンバイザ１００は、内部にワイヤからなる環状のフレーム１１０が埋設されたパッド材１２０、およびこのパッド材１２０を被覆した表皮１３０からなるサンバイザ本体１４０と、このサンバイザ本体１４０の上隅部の一方に設けられたステー１５０とを備えて形成されている。上記ステー１５０は、サンバイザ本体１４０を車室内の天井部に取り付けるためのものである。
【０００３】
上記表皮１３０は、軟質合成樹脂製のウェブからなる表面表皮１３１と裏面表皮１３２とからなっている。サンバイザ本体１４０は、パッド材１２０がこれら両表皮１３１，１３２に挟持された状態で両表皮１３１，１３２の外周縁部に高周波を照射することにより縁部同士を溶着処理する、いわゆるウェルダー処理によって接合されて形成されている。
【０００４】
また、上記ポケット部１０１は、矩形状に裁断された合成樹脂製のウェブ片１０３を、裏面表皮１３２の略中央部にウェルダー処理で溶着することによって形成されている。具体的には、ウェブ片１０３は、横長状態で裏面表皮１３２に配置され、右方を除く三方の縁部がウェルダー処理によって溶着されている。こうすることによって裏面表皮１３２の略中央部に、右方に向かって開口した開口部１０２を有するポケット１０１が設けられた状態になっている。
【０００５】
このようなポケット部１０１に、開口部１０２を通してチケットや紙幣等の紙片３００を挟み込むことによってそれらを一時的に保管することができるようになっている。
【０００６】
【発明が解決しようとする課題】
ところで、従来の上記のようなポケット部１０１付きのサンバイザ１００にあっては、ポケット部１０１を構成するウェブ片１０３は、外周縁部がウェルダー処理によって裏面表皮１３２に溶着されているため、所定ピッチで形成されるウェルダー目が目障りになり、サンバイザ１００の外観の美麗さが損なわれるという問題点を有していた。特にウェルダー目がウェブ片１０３の縁部から裏面表皮１３２にはみ出している場合には、サンバイザ１００は非常に見苦しいものになる。
【０００７】
また、ウェブ片１０３の外周縁部からウェルダー目がはみ出さないようにウェルダー処理を施すためには、高い熟練度が要求されるとともに、たとえ熟練していても操作が面倒であり、その分多くの製造コストがかかるという問題点を有していた。
【０００８】
本発明は、上記のような問題点を解決するためになされたものであり、外観が美麗であり、かつ、製造が容易なポケット部を有する自動車用のサンバイザを提供することを目的としている。
【０００９】
【課題を解決するための手段】
本発明の請求項１記載の自動車用のサンバイザは、平板状のパッド材の外面が表皮で被覆されることによってサンバイザ本体が形成されてなる自動車用のサンバイザにおいて、上記表皮に所定長さ寸法の切り込み開口が設けられ、この切り込み開口の周囲の所定範囲内の表皮とパッド材との間に内側表皮が介設され、この内側表皮は、サンバイザ本体の幅方向の全長に亘って設けられているとともに、縁部がウェルダー処理によって表皮に一体に接合されていることを特徴とするものである。
【００１０】
この自動車用のサンバイザによれば、表皮と内側表皮との間にチケット等の紙片を収納する隙間が形成された状態になっているため、紙片を切り込み開口から上記隙間に差し入れて保管することができる。そして、紙片を隙間に差し入れるに際し、紙片は内側表皮によってその表面を滑るように案内されるため、紙片の隙間への装入操作が容易になる。また、内側表皮は、従来のように表皮の外面にポケットを設けたものではないので、サンバイザ本体は、その面が非常にシンプルな見栄えのよいデザイン的に優れたものになっている。
【００１１】
加えて、パッド材を表裏の表皮で挟持しウェルダー処理によって各表皮の縁部を溶着する操作時に、内側表皮を表裏の表皮に挟持した状態で表皮の縁部にウェルダー処理を施すことによって内側表皮が取り付けられた状態になるため、内側表皮を表皮に取り付けるための専用の工程を設定する必要がなくなり、工数の減少が実現する。
【００１２】
本発明の請求項２記載の自動車用のサンバイザは、請求項１記載の自動車用のサンバイザにおいて、上記内側表皮は、サンバイザ本体の略中央部でウェルダー処理によって表皮に接合されていることを特徴とするものである。
【００１３】
この発明によれば、切り込み開口から隙間に装入された紙片が、内側表皮を越えて表皮とパッド材との隙間の奥部に入り込んでしまい、取り出し得なくなるような不都合が回避される。
【００１４】
【発明の実施の形態】
図１は、本発明に係る自動車用のサンバイザの第１実施形態を示す一部切欠き斜視図であり、図２は、図１のＡ−Ａ線断面図である。なお、図１ではサンバイザ１の裏面側が上になるように図示している。これらの図に示すように、サンバイザ１は、板状で横長形状のサンバイザ本体２と、このサンバイザ本体２の上縁部の一方の隅部から外部に向かって突設されたステー７とを備えた基本構成を有している。
【００１５】
上記ステー７は、サンバイザ１を自動車の車室内の天井部に取り付けるためのものであり、サンバイザ１は、このステー７の水平軸回りに回動自在に支持されているとともに、ステー７自体はその垂直部分の軸心回りに回動自在になっており、これによってサンバイザ１は自由に姿勢設定され得るようになっている。
【００１６】
上記サンバイザ本体２は、ワイヤ製のフレーム３と、このフレーム３を埋設した板状のパッド材４と、このパッド材４の外面を被覆した表皮５と、この表皮５に設けられたポケット部６とを備えて形成されている。
【００１７】
上記フレーム３は、ワイヤが環状に折り曲げられて全体形状が横長に形成されている。フレーム３の一方の上側部（図１の左側部上部）にはサンバイザ１を遮光姿勢に設定した状態で、図略のバックミラーと車室内天井部とのすき間部分を埋めるための横方向に膨出した膨出部１１が設けられているとともに、他方の上側部（図１の右側部上部）は上記ステー７を装着するために凹没されている。
【００１８】
上記パッド材４は、発泡性合成樹脂を原料にした発泡体によって上記フレーム３よりも若干大きめの略相似形状に形成されている。本実施形態においては、フレーム３は、一対の片面パッド材４１に挟持された状態でパッド材４に埋設されている。各片面パッド材４１は、それぞれの対向面に断面視で半円形状の装着溝４２を有しており、フレーム３を挟んで各片面パッド材４１が合体された状態でフレーム３がそれぞれの装着溝４２に嵌まり込むように装着溝４２の凹設位置が設定されている。なお、上記装着溝４２は必須ではなく、特に設けなくてもよい。
【００１９】
上記表皮５は、軟質の合成樹脂シート製の表裏一対の片面表皮５１からなっている。各片面表皮５１は、それぞれがパッド材４よりも若干大きめの略相似形に形成されている。そして上記パッド材４は、各片面表皮５１に挟持された状態で片面表皮５１のそれぞれの縁部が当接され、この当接部分が被押圧状態で高周波を照射される、いわゆるウェルダー処理で溶着されることによって表皮５に被覆された状態になっている。
【００２０】
上記ポケット部６は、裏面側の片面パッド材４１と片面表皮５１との間に介設された添えシート（内側表皮）６１と、この添えシート６１に対応して裏面側の片面表皮５１に切り込まれたスリット（切り込み開口）６２とを備えて形成されている。上記添えシート６１は、軟質の合成樹脂製のシートによって形成され、パッド材４の長手方向の略中央場から膨出部１１の手前までの横寸法と、表皮５と同一の幅寸法とを有し、片面パッド材４１と裏面側の片面表皮５１とに挟持された状態で配設されている。
【００２１】
そして、上記のように配設された添えシート６１は、横方向に延びる幅方向の両縁部が各片面表皮５１の縁部に挟持された状態でウェルダー処理によって一体に溶着され、これによって裏面側の片面パッド材４１は添えシート６１と片面表皮５１とによって二重に被覆された状態になっているとともに、添えシート６１と片面表皮５１との間にチケット等の紙片Ｐを収納する収納空間６３が形成されている。
【００２２】
上記スリット６２は、上記収納空間６３の横方向の略中央部において幅方向に延びるように切り込まれて形成されている。このスリット６２は、紙片Ｐを収納空間６３に差し入れるための差し入れ口である。このスリット６２の幅方向の両端部には鳩目孔６４が穿設され、これらの鳩目孔６４によってスリット６２の端部の破損を防止するようにしている。
【００２３】
第１実施形態のサンバイザ１によれば、紙片Ｐは、それをスリット６２から差し入れることにより、先端側が添えシート６１の面上を滑るように誘導されて円滑に収納空間６３内に入り込み、添えシート６１と片面パッド材４１との間に挟持された収納状態になる。
【００２４】
そして、添えシート６１は、裏面側の片面表皮５１の内側に設けられているため、従来の外部にポケットを設けたものにあっては、その縁部がウェルダー処理によって表皮に溶着されることによるウェルダー目によって外観が見苦しくなるという不都合が解消され、サンバイザ１を、外観が簡素でデザイン的に優れた美麗なものにすることができる。
【００２５】
また、パッド材４の表面側にスリット６２が設けられていない方の片面表皮５１を積層するとともに、パッド材４の表面裏面側に添えシート６１およびスリット６２が設けられた方の片面表皮５１を積層し、これら片面表皮５１および添えシート６１の積層縁部をウェルダー処理することによってポケット部６を有するサンバイザ本体２が即座に得られ、従来のようなウェルダー処理によって添えシートを表皮に取り付けるという操作を別途施す必要はなく、サンバイザ１の製造工数の削減を図る上で有効である。
【００２６】
図３は、本発明に係る自動車用のサンバイザ１ａの第２実施形態を示す一部切欠き斜視図であり、図４は、図３のＢ−Ｂ線断面図である。この実施形態においては、ポケット部６ａは、サンバイザ本体２ａの裏面側の略右半分の部分に設けられている。
【００２７】
このポケット部６ａは、片面パッド材４１ａを被覆した添えシート６１ａと、この添えシート６１ａを被覆した裏面側の片面表皮５１ａと、この片面表皮５１ａの中央部に幅方向に切り込まれて形成されたスリット６２とによって形成されている。そして、添えシート６１ａと片面表皮５１ａとの間に紙片Ｐを収納する収納空間６３ａが形成され、スリット６２から差し込まれた紙片Ｐは、先端側がこの収納空間６３ａ内に収納されるようになっている。
【００２８】
また、第２実施形態においては、添えシート６１ａは、パッド材４ａから外方に突出した三方の縁部が表裏の片面表皮５１，５１ａに挟持された状態でウェルダー処理によって溶着されているとともに、図３における左方の縁部がウェルダー処理によって添えシート６１ａに溶着され、これによって収納空間６３ａの左方側が閉止状態になっている。その他のサンバイザ１ａの構成は第１実施形態のものと同様である。
【００２９】
第２実施形態のサンバイザ１ａによれば、添えシート６１ａの左端縁部がウェルダー処理によって片面表皮５１ａに溶着され、これによって収納空間６３ａの左端部が閉止状態になっているため、スリット６２から収納空間６３ａに収納された紙片Ｐが添えシート６１ａを越えて片面表皮５１ａと片面パッド材４１ａとの隙間の奥部に入り込んでしまうという不都合が確実に防止される。
【００３０】
【発明の効果】
本発明の請求項１記載の自動車用のサンバイザによれば、表皮に所定長さ寸法の切り込み開口を設け、この切り込み開口の周囲の所定範囲内の表皮とパッド材との間に内側表皮を介設したため、表皮と内側表皮との間にチケット等の紙片を収納する隙間が形成された状態になっており、紙片を切り込み開口から上記隙間に差し入れて保管することができる。そして、紙片を隙間に差し入れるに際し、紙片は内側表皮によってその表面を滑るように案内されるため、紙片の隙間への装入操作を容易にすることができる。また、従来のように外部にポケットを設けたものではないため、サンバイザ本体を非常にシンプルな見栄えのよいデザイン的に優れたものにすることができる。
【００３１】
加えて、パッド材を表裏の表皮で挟持しウェルダー処理によって各表皮の縁部を溶着する操作時に、内側表皮を表裏の表皮に挟持した状態で表皮の縁部にウェルダー処理を施すことによって内側表皮がパッド材に取り付けられた状態になるため、内側表皮の装着専用の工程を別途設定する必要がなくなり、これによって工数の減少が実現し、製造コストの低減を図る上で好都合である。
【００３２】
本発明の請求項２記載の自動車用のサンバイザによれば、内側表皮を、サンバイザ本体の略中央部でウェルダー処理によって表皮に接合したため、切り込み開口から隙間に装入された紙片が、内側表皮を越えて表皮とパッド材との隙間の奥部に入り込んでしまい、取り出し得なくなるというような不都合を確実に回避することができる。
【図面の簡単な説明】
【図１】本発明に係る自動車用のサンバイザの第１実施形態を示す一部切欠き斜視図である。
【図２】図１のＡ−Ａ線断面図である。
【図３】本発明に係る自動車用のサンバイザの第２実施形態を示す一部切欠き斜視図である。
【図４】図３のＢ−Ｂ線断面図である。
【図５】従来の自動車用のサンバイザの一例を示す説明図である。
【符号の説明】
１，１ａ  サンバイザ
１１  膨出部
２，２ａ  サンバイザ本体
３  フレーム
４，４ａ  パッド材
４１，４１ａ  片面パッド材
４２  装着溝
５、５ａ  表皮
５１，５１ａ  片面表皮
６，６ａ  ポケット部
６１，６１ａ  添えシート（内側表皮）
６２  スリット（切り込み開口）
６３  収納空間
６４  鳩目孔
Ｐ  紙片
【図１】
0003636556.tif 000002
【図２】
0003636556.tif 000003
【図３】
0003636556.tif 000004
【図４】
0003636556.tif 000005
【図５】
0003636556.tif 000006